(57)【要約】【課題】  小型化、低価格化が可能である上に、構造が簡素で同規格のものを高い再現性で容易に製造することができ、しかも３６０度の方角の過大衝撃を記録することができる衝撃記録素子を提供する。【解決手段】  重り体４と、重り体４を中央域３aと周辺域３bとの間で移動可能に収容する空洞３を有するケーシング２と、ケーシング空洞３の両側開口部にそれらを閉塞するように設けられると共に重り体４をその両側から弾力的に挟圧してなり、少なくとも一方が重り体４と嵌合する弾性振動板からなる第一保持体５及び第二保持体６と、ケーシング空洞３に収容された重り体４の位置を空洞３の外部から検知する重り体検知手段とから構成される。【選択図】  図１
2006053037.tif 000002
【特許請求の範囲】
【請求項１】
重り体と、重り体を中央域と周辺域との間で径方向に移動可能に収容する空洞を有するケーシングと、ケーシング空洞の両側開口部にそれらを閉塞するように設けられると共に重り体をその両側から弾力的に挟圧してなり、少なくとも一方が重り体と嵌合する弾性振動板からなる第一保持体及び第二保持体と、ケーシング空洞に収容された重り体の位置をケーシング空洞の外部から検知する重り体検知手段とからなり、
ケーシング空洞に収容された重り体が、ケーシング側面方向への過大衝撃発生前は第一保持体と第二保持体とにより両側から弾力的に挟圧されてケーシング空洞の中央域に保持されると共に、ケーシング側面方向への過大衝撃発生時は慣性力により第一保持体と第二保持体との挟圧に抗してケーシング空洞の中央域から周辺域に変位させられるようにしたことを特徴とする衝撃記録素子。
【請求項２】
弾性振動板から構成される第一保持体及び／又は第二保持体がコーン形状を呈し、その頂部をケーシング空洞に向けて配置されると共にその頂部において重り体と嵌合される請求項１に記載の衝撃記録素子。
【請求項３】
弾性振動板から構成されない第一保持体又は第二保持体がコーン形状を呈し、その頂部をケーシング空洞に向けて配置されると共にその頂部において重り体と嵌合される請求項１に記載の衝撃記録素子。
【請求項４】
第一保持体及び／又は第二保持体と重り体とが径方向の複数の相対的位置において嵌合可能とされ、
ケーシング空洞に収容された重り体が、ケーシング側面方向への過大衝撃発生前は第一保持体と第二保持体とにより両側から弾力的に挟圧されてケーシング空洞の中央域である最初の相対的位置に嵌合下に保持されると共に、ケーシング側面方向への過大衝撃発生時は慣性力により第一保持体と第二保持体との挟圧に抗してケーシング空洞の中央域から周辺域に次の相対的位置まで変位させられるようにした請求項１〜３の何れかに記載の衝撃記録素子。
【請求項５】
ケーシング、第一保持体及び第二保持体の少なくとも一つの部材の内面に、ケーシング側面方向への過大衝撃発生時にケーシング空洞の中央域から周辺域に変位した重り体のケーシング周方向への遊動を阻止する重り体停留手段が設けられた請求項１〜４の何れかに記載の衝撃記録素子。
【請求項６】
重り体停留手段が、ケーシング、第一保持体及び第二保持体の少なくとも一つの部材の内面からケーシング周方向に沿ってケーシング空洞の周辺域に所要間隔で突設され、ケーシング側面方向への過大衝撃発生時にケーシング空洞の中央域から周辺域に変位した重り体のケーシング周方向への遊動を停止させる仕切りからなる請求項５に記載の衝撃記録素子。
【請求項７】
重り体検知手段が、ケーシング、第一保持体及び第二保持体の少なくとも一つの部材に、ケーシング空洞の中央域及び／又は周辺域の視認可能に光透過部分を設けてなる請求項１に記載の衝撃記録素子。
【発明の詳細な説明】
【技術分野】
【０００１】
本発明は、落下や衝突等による衝撃を受け易い携帯電話等の精密電子機器等に搭載されると共に、それらの機器にその搬送中、取扱い中或いは使用中等に加わった許容限度を越える過大な衝撃を記録し、前記機器の故障発生時における故障原因の究明に資することができる衝撃記録素子に関する。
【背景技術】
【０００２】
前記のような衝撃記録手段として、例えば特開２００３−５０２４７号公報には、三角形の突起部を有する湾曲側面を備えた重り体が梁を介してベース部に固定されると共に前記重り体の湾曲側面と対向するベース部の固定壁に三角形の突起部を有する湾曲側面が設けられてなる衝撃記録装置が開示されている。前記衝撃記録装置では、それが搭載された機器に外部より過大な衝撃が加わったときに、重り体が慣性力により梁の曲げ応力に抗して固定壁の湾曲側面に沿って移動すると共に重り体側面の突起部が固定壁側面の突起部を復動不能に乗り越えるので、固定壁側面に対する重り体の停留場所を観測することにより前記衝撃の強さを事後に検知することが可能になる。
【特許文献１】特開２００３−５０２４７号公報
【発明の開示】
【発明が解決しようとする課題】
【０００３】
前記公知の衝撃記録装置は、小型化、低価格化が可能である反面、過大衝撃発生時に重り体が慣性力により梁の曲げ応力に抗して固定壁の湾曲側面に沿って移動すると共に重り体側面の突起部が固定壁側面の突起部を復動不能に乗り越える作用を高い再現性で実現するための微細加工が困難である上に、重り体と固定壁の湾曲側面との接点における法線方向の衝撃を記録できないという問題点があった。
【０００４】
本発明の解決すべき課題は、小型化、低価格化が可能である上に、構造が簡素で同規格のものを高い再現性で容易に製造することができ、しかも３６０度の方角の過大衝撃を記録することができる衝撃記録素子を提供することにある。
【課題を解決するための手段】
【０００５】
本発明に係る第一態様の衝撃記録素子は、重り体と、重り体を中央域と周辺域との間で径方向に移動可能に収容する空洞を有するケーシングと、ケーシング空洞の両側開口部にそれらを閉塞するように設けられると共に重り体をその両側から弾力的に挟圧してなり、少なくとも一方が重り体と嵌合する弾性振動板からなる第一保持体及び第二保持体と、ケーシング空洞に収容された重り体の位置をケーシング空洞の外部から検知する重り体検知手段とからなり、
ケーシング空洞に収容された重り体が、ケーシング側面方向への過大衝撃発生前は第一保持体と第二保持体とにより両側から弾力的に挟圧されてケーシング空洞の中央域に保持されると共に、ケーシング側面方向への過大衝撃発生時は慣性力により第一保持体と第二保持体との挟圧に抗してケーシング空洞の中央域から周辺域に変位させられるようにしたことを特徴としている。
【０００６】
前記態様の衝撃記録素子において、重り体は、前記のように慣性力を受けてケーシング空洞の中央域から周辺域に変位する作用を奏し得る限り、その材質、形状、構造等に特別の限定はなく、例えば金属、セラミック、プラスチック等からなる球体、楕円球体、多面体、円柱体、多角柱体、円錐形、或いはそれらの結合体等を必要に応じて適宜選択することができる。
【０００７】
ケーシングの空洞としては、円筒面を有するものが好ましいが、これに限定されるものではなく、例えば円錐面、多角錐面、多角面等を有するものであっても差し支えない。また、前記ケーシングは、本発明に係る衝撃記録素子が搭載される機器のハウジングやそれへの固定物等で兼用されてもよい。
【０００８】
第一保持体及び第二保持体は、協働して、ケーシング空洞の両側開口部を閉塞すると共にケーシング空洞の中央域と周辺域との間における重り体の径方向への移動空間を画定し、重り体をケーシング空洞に漏出不能に収容させると共にケーシング空洞への塵芥や水分等の侵入を防止し、常時は重り体を両側から弾力的に挟圧しつつケーシング空洞の中央域に保持させている。
【０００９】
また、第一保持体及び第二保持体の少なくとも一方に使用される弾性振動板は、それ自体、応答性に優れた弾力性を有するのみならず、通常のばね部材や弾性部材等と異なって保形性に優れたシート状又は変形シート状を呈することから、ケーシング空洞の開口部を容易に閉塞することが可能となる。第一保持体及び第二保持体が共に弾性振動板から構成される場合、ケーシング空洞に収容された重り体が、平常時に、何れも弾性振動板からなる第一保持体と第二保持体とにより嵌合下に両側から弾力的に挟圧されてケーシング空洞の中央域に保持されているので、ケーシング軸線方向への衝撃発生時に重り体が慣性力を受けて軸線方向に変位しても、何れも弾性振動板からなる第一保持体と第二保持体がそれらの弾力性により前記重り体の変位に追従して伸縮し、それにより重り体はケーシング空洞の周辺域に誤って離脱することなく中央域に保持されるので、前記のようなケーシング軸線方向への衝撃がケーシング側面方向への衝撃として誤って記録されることが防止される。
【００１０】
弾性振動板から構成される第一保持体及び／又は第二保持体と重り体との嵌合においては、何れの側に凹部材及び凸部材が設けられても差し支えはない。弾力的挟圧下における前記嵌合は、ケーシング空洞の中央域に保持された重り体がケーシング側面方向への過大衝撃発生なしに周辺域へと自然に移動することを防止するものである。前記嵌合の態様に特別の制限はなく、例えば、球面、円錐面、円筒面、環状面等を介して互いに両部材が当接するものが包含される。
【００１１】
弾性振動板から構成される第一保持体及び／又は第二保持体は、平坦状であってもよいが、好ましくはコーン形状を呈し、その頂部をケーシング空洞に向けて配置されると共にその頂部において重り体と嵌合されるようにしてもよい。前記第一保持体及び／又は第二保持体は、そのコーン形状に起因してケーシング側面方向への変形を生じ難いため、重り体を過大衝撃発生時まではケーシング空洞の中央域に安定に保持することに寄与し、さらにそのコーン形状に由来する傾斜面によりケーシング空洞をその中央域から周辺域に向かってケーシング軸線方向に漸次拡張させるため、重り体を過大衝撃発生時にケーシング空洞の中央域から周辺域へと円滑に変位させることにも寄与する。前記ケーシング空洞の拡張効果は、第一保持体及び第二保持体が共にコーン形状を呈する場合に一層促進される。
【００１２】
前記弾性振動板のコーン形状には、例えば、直線状や曲線状の母線を有する円錐形及び略円錐形並びに楕円、双曲線、放物線等の母線を有する曲面形状等の種々の山形が包含される。前記弾性振動板の剛性、弾力性及び／又は重り体の質量等を適宜調整することにより、ケーシング空洞に収容された重り体の中央域から周辺域への前記変位を引き起こす衝撃力、加速度の下限値を変更することが可能である。
【００１３】
弾性振動板から構成されない第一保持体又は第二保持体は、平坦状であってもよいが、必要に応じてコーン形状を呈し、その頂部をケーシング空洞に向けて配置されると共にその頂部において重り体と嵌合されるようにしてもよい。前記第一保持体又は第二保持体は、既述のコーン形状弾性振動板から構成されるものと同様に、そのコーン形状に由来する傾斜面によりケーシング空洞をその中央域から周辺域に向かってケーシング軸線方向に漸次拡張させるため、重り体を過大衝撃発生時にケーシング空洞の中央域から周辺域へと円滑に変位させることにも寄与する。
【００１４】
第一保持体及び／又は第二保持体と重り体とは、重り体がケーシング空洞の中央域に保持される位置、即ち径方向の一個所のみの相対的位置において嵌合可能としてもよく、その場合、ケーシング側面方向への過大衝撃発生時にケーシング空洞の中央域から周辺域に変位させられた重り体は、第一保持体及び／又は第二保持体との嵌合から離脱することになる。
【００１５】
前記のように周辺域に変位して嵌合から離脱した重り体は、時として、ケーシング空洞の周辺域でガタツキを生じることがあるが、この現象を抑制するために、第一保持体及び／又は第二保持体と重り体とが径方向の複数の相対的位置において嵌合可能とされ、
ケーシング空洞に収容された重り体が、ケーシング側面方向への過大衝撃発生前は第一保持体と第二保持体とにより両側から弾力的に挟圧されてケーシング空洞の中央域である最初の相対的位置に嵌合下に保持されると共に、ケーシング側面方向への過大衝撃発生時は慣性力により第一保持体と第二保持体との挟圧に抗してケーシング空洞の中央域から周辺域に次の相対的位置まで変位させられるようにしてもよい。この場合、周辺域に変位して最初の嵌合から離脱した重り体は、次の相対的位置で第一保持体及び／又は第二保持体との次の嵌合に供されるので、ケーシング空洞の周辺域での重り体のガタツキが抑制されることになる。
【００１６】
ケーシング空洞に収容された重り体は、前記のように、ケーシング側面方向への過大衝撃発生時は慣性力によりケーシング空洞の中央域から周辺域に変位させられるが、その変位は、慣性力の方向、従って前記衝撃力の方向と反対の方向に行われる。そこで、ケーシング側面方向への過大衝撃発生の有無と該過大衝撃の発生があった場合における衝撃力の方向をも記録するために、ケーシング、第一保持体及び第二保持体の少なくとも一つの部材の内面に、ケーシング側面方向への過大衝撃発生時にケーシング空洞の中央域から周辺域に変位した重り体のケーシング周方向への遊動を阻止する重り体停留手段が設けられてもよい。この場合、ケーシング空洞の中央域から周辺域に変位した重り体が、前記重り体停留手段により、ケーシング周方向に遊動することなくその位置に停留させられるので、ケーシング空洞の周辺域に遊動不能に停留された重り体の角度位置が、即ち過大衝撃が加わった方向を示していることになる。
【００１７】
前記重り体停留手段として、例えばケーシング、第一保持体及び第二保持体の少なくとも一つの部材の内面、好ましくはケーシングの内面にケーシング空洞の周辺域に沿って設けられ、ケーシング空洞の中央域から周辺域に変位した重り体をその位置に停留させる粘着剤や該重り体の磁着可能な強磁性体等であってもよいが、前記重り体を機械的に確実に停留させるために、例えばケーシング、第一保持体及び第二保持体の少なくとも一つの部材の内面からケーシング周方向に沿ってケーシング空洞の周辺域に所要間隔で突設され、ケーシング側面方向への過大衝撃発生時にケーシング空洞の中央域から周辺域に変位した重り体のケーシング周方向への遊動を停止させる仕切りからなるものが好ましい。
【００１８】
重り体停留手段として前記仕切りを用いた場合、重り体は、ケーシング側面方向への過大衝撃発生時にケーシング空洞の中央域から周辺域に変位すると共にその変位方向に連なる一対の仕切りでケーシング周方向への動きを制限され、それによってケーシング周方向への遊動不能に前記両仕切り間に対応する角度位置に停留することになる。
【００１９】
重り体検知手段は、ケーシング空洞に収容された重り体の位置をケーシング空洞の外部から検知するものであり、具体的には、前記重り体がケーシング空洞の中央域及び周辺域の何れに配置されているのか、また前記重り体停留手段が設けられている場合等に、ケーシング空洞の周辺域に変位させられた前記重り体がケーシング空洞の周辺域における何れの角度位置に配置されているのか等を検知し、それらによってケーシング側面方向への過大衝撃発生の有無や該過大衝撃発生時における衝撃力の方向を事後的に知得することを可能にしている。
【００２０】
前記重り体検知手段として、例えば、ケーシング、第一保持体及び第二保持体の少なくとも一つの部材に、ケーシング空洞の中央域及び／又は周辺域の視認可能に光透過部分を設けてなるものを好適に採用することができる。なお、前記光透過部分が、ケーシング、第一保持体、第二保持体等の外側に設けられた保護部材、補強部材等や機器ハウジングへの衝撃記録素子の取付け部材等によって外部から視認不能に遮蔽される場合は、それらの遮蔽部材における前記光透過部分と光学的に整合する位置にもケーシング空洞の中央域及び／又は周辺域の視認可能に第二、第三等の別の光透過部分を設ければよい。ケーシング空洞の中央域及び／又は周辺域の前記視認に際して、それらの区域における重り体の存否を容易に明視し得るように、重り体表面と、ケーシング、第一保持体及び第二保持体の少なくとも一つの部材内面とに、互いに異なる色（明度、色相、彩度）や異なる光沢状態等を与えることにより明確に識別し得るようにすることが好ましい。
【００２１】
前記構成の衝撃記録素子によれば、これを機器に搭載することにより、ケーシング側面方向に３６０度の方角の衝撃を記録することはできるものの、ケーシング軸線方向の衝撃を記録することができないので、必要に応じて、複数台の前記衝撃記録素子を機器の所要箇所に互いに異なる角度で搭載することにより、機器に加わった衝撃をより詳細に記録することが可能になる。典型的には、２台又は３台の衝撃記録素子が機器の所要個所に互いに直角をなすように搭載され、さらに必要に応じて追加の衝撃記録素子が前記衝撃記録素子に対して直角以外の角度をなして搭載されてもよい。
【発明の効果】
【００２２】
本発明は、以上のように構成されるので、小型化、低価格化が可能である上に、構造が簡素で同規格のものを高い再現性で容易に製造することができ、しかも３６０度の方角の過大衝撃を記録することができる。
【００２３】
請求項１に記載の衝撃記録素子では、第一保持体及び第二保持体の少なくとも一方に使用された弾性振動板が、それ自体、応答性に優れた弾力性を有するのみならず、通常のばね部材や弾性部材等と異なって保形性に優れたシート状を呈することからケーシング空洞の開口部を容易に閉塞することが可能となる。第一保持体及び第二保持体が共に弾性振動板から構成される場合、ケーシング空洞に収容された重り体が、平常時に、何れも弾性振動板からなる第一保持体と第二保持体とにより嵌合下に両側から弾力的に挟圧されてケーシング空洞の中央域に保持されているので、ケーシング軸線方向への衝撃発生時に重り体が慣性力を受けて軸線方向に変位しても、何れも弾性振動板からなる第一保持体と第二保持体がそれらの弾力性により前記重り体の変位に追従して伸縮し、それにより重り体はケーシング空洞の周辺域に誤って離脱することなく中央域に保持されるので、前記のようなケーシング軸線方向への衝撃がケーシング側面方向への衝撃として誤って記録されることが防止される。
【００２４】
請求項２に記載の衝撃記録素子では、弾性振動板から構成される第一保持体及び／又は第二保持体がコーン形状を呈し、そのコーン形状に起因してケーシング側面方向への変形を生じ難いため、重り体を過大衝撃発生時まではケーシング空洞の中央域に安定に保持することに寄与し、さらにそのコーン形状に由来する傾斜面によりケーシング空洞をその中央域から周辺域に向かってケーシング軸線方向に漸次拡張させるため、重り体を過大衝撃発生時にケーシング空洞の中央域から周辺域へと円滑に変位させることにも寄与する。
【００２５】
請求項３に記載の衝撃記録素子では、弾性振動板から構成されない第一保持体又は第二保持体がコーン形状を呈し、そのコーン形状に由来する傾斜面によりケーシング空洞をその中央域から周辺域に向かってケーシング軸線方向に漸次拡張させるため、重り体を過大衝撃発生時にケーシング空洞の中央域から周辺域へと円滑に変位させることに寄与する。
【００２６】
請求項４に記載の衝撃記録素子では、第一保持体及び／又は第二保持体と重り体とが径方向の複数の相対的位置において嵌合可能とされ、周辺域に変位して嵌合から離脱した重り体は、次の相対的位置で第一保持体及び／又は第二保持体との次の嵌合に供されるので、ケーシング空洞の周辺域での重り体のガタツキが抑制される。
【００２７】
請求項５に記載の衝撃記録素子では、ケーシング側面方向への過大衝撃発生時にケーシング空洞の中央域から周辺域に変位した重り体が重り体停留手段によりケーシング周方向への遊動を阻止され、その位置に停留させられるので、ケーシング空洞の周辺域に遊動不能に停留された重り体の角度位置が、即ち過大衝撃が加わった方向を示していることになる。その位置に停留させられるので、ケーシング空洞の周辺域に遊動不能に停留された重り体の角度位置を検知することにより過大衝撃が加わった方向を知得することができる。
【００２８】
請求項６に記載の衝撃記録素子では、重り体停留手段が、ケーシング側面方向への過大衝撃発生時にケーシング空洞の中央域から周辺域に変位した重り体のケーシング周方向への遊動を停止させる仕切りからなり、ケーシング空洞の周辺域において重り体がケーシング周方向への遊動不能に収容された両仕切り間に対応する角度位置を検知することにより過大衝撃が加わった方向を知得することができる。
【００２９】
請求項７に記載の衝撃記録素子では、重り体検知手段が、ケーシング、第一保持体及び第二保持体の少なくとも一つの部材に、ケーシング空洞の中央域及び／又は周辺域の視認可能に光透過部分を設けてなり、ケーシング空洞に収容された重り体がケーシング空洞の中央域及び周辺域の何れに配置されているのか、またケーシング空洞の周辺域に変位させられた前記重り体がケーシング空洞の周辺域における何れの角度位置に配置されているのか等をケーシング空洞の外部から前記光透過部分を透して視認することができ、それらによってケーシング側面方向への過大衝撃発生の有無や該過大衝撃発生時における衝撃力の方向を事後的に知得することを可能にしている。
【発明を実施するための最良の形態】
【００３０】
［実施例１］
図１（Ａ）及び（Ｂ）は本発明の実施例１に係る衝撃記録素子の過大衝撃発生前における各々平面図及び縦断面図、図２は図１に示す衝撃記録素子の機器に取り付けた状態における縦断面図である。図３（Ａ）及び（Ｂ）は図１に示す衝撃記録素子の過大衝撃発生時における各々平面図及び縦断面図である。
【００３１】
図１〜３に示す実施例１に係る衝撃記録素子１において、ケーシング２は円筒面を有する空洞３を有し、該空洞３には金属製の球体状重り体４が中央域３aと周辺域３bとの間で移動可能に収容されている。空洞３の下方の開口部には、平坦状の第一保持体５が設けられると共に第一保持体５の中央内面には、重り体４の球面状凸部からなる下方の被支持部と当接可能な平坦状の支持部５ａが形成されている。また、空洞３の上方の開口部には、コーン形状の透明弾性振動板からなる第二保持体６が頂部を空洞３に向けて設けられると共に第二保持体６の頂部には、重り体４の球面状凸部からなる上方の被支持部と球面状に嵌合可能な半球状凹部からなる支持部６aが形成されている。
【００３２】
前記ケーシング２は、図２に示すように、第二保持体６を上にして機器ハウジングの取付け板７下面にネジ止めにより取り付けられ、該取付け板７における空洞３の中央域３aに対応する位置には観察用穴８が開口されている。透明の前記第二保持体６は、取付け板７の前記観察用穴８と協働して空洞３の中央域３aを視認可能にし、本発明における重り体検知手段を構成している。
【００３３】
空洞３に収容された重り体４は、ケーシング２の側面方向への過大衝撃発生前は、図１（Ａ）、（Ｂ）及び図２に示すように、第一保持体５と第二保持体６とにより両側から弾力的に挟圧されると共に、重り体４の下方の被支持部を第一保持体５の支持部５ａに当接させ且つ重り体４の上方の被支持部を第二保持体６の支持部６aと嵌合させて、空洞３の中央域３aに保持されている。前記のように空洞３の中央域３aに保持された重り体４は、透明の第二保持体６及び取付け板７の観察用穴８を介して外部から視認され、それにより、前記衝撃記録素子１が取付け板７を介して取り付けられた機器はケーシング２の側面方向への過大衝撃を未だ受けていないことが確認される。
【００３４】
また、前記のように空洞３の中央域３aに保持された重り体４は、ケーシング２の側面方向への過大衝撃発生時は、図３（Ａ）、（Ｂ）に示すように、慣性力により第一保持体５と第二保持体６との挟圧に抗して、重り体４の下方の被支持部を第一保持体５の支持部５ａから摺動させ且つ重り体４の上方の被支持部を第二保持体６の支持部６aとの嵌合から離脱させて、空洞３の中央域３aから上方に拡張した周辺域３bに変位させられる。前記のように空洞３の中央域３aから周辺域３bに変位した重り体４は、透明の第二保持体６及び取付け板７の観察用穴８を介して外部から視認されなくなり、それにより前記衝撃記録素子１が取り付けられた機器はケーシング２の側面方向への過大衝撃を既に受けていたことが確認される。
【００３５】
なお、本実施例１において、ケーシング２の空洞３が円筒面を有する代わりに、円錐面、多角錐面、多角面等を有していてもよい。また、本実施例１において、第二保持体６を透明にして光透過部分を設ける代わりに、或いはそれと共に、ケーシング２及び／又は第一保持体５に光透過部分を設けて、空洞３の中央域３a及び／又は周辺域３bを視認可能としてもよく、それらの場合において、衝撃記録素子１の機器への取付けに際して前記光透過部分を遮蔽する部材があるときは、それらの遮蔽部材における前記光透過部分と光学的に整合する位置にも別の光透過部分が設けられる。さらに、本実施例１において、前記重り体４の球面状凸部からなる下方の被支持部と当接する第一保持体５の支持部５aにも、第二保持体６の支持部６aと同様の半球状凹部からなる支持部（図示省略）が前記被支持部と嵌合可能に設けられていてもよい。
【００３６】
［実施例２］
図４は本発明の実施例２に係る衝撃記録素子の過大衝撃発生前における縦断面図である。
本実施例２では、実施例１における平坦状の第一保持体５の代わりに第一保持体５１が使用され、その第一保持体５１は、頂部に重り体４の球面状凸部からなる下方の被支持部と球面状に嵌合可能な半球状凹部からなる支持部５１ａを有するコーン形状に形成されると共にその頂部をケーシング２の空洞３に向けて空洞３における下方の開口部に設けられている。前記以外の構成は、実施例１と基本的に同様である。
【００３７】
本実施例２の場合、ケーシング２の空洞３に収容された重り体４は、ケーシング２の側面方向への過大衝撃発生前は、コーン形状の第一保持体５１と第二保持体６とにより両側から弾力的に挟圧されると共に、重り体４の下方の被支持部を第一保持体５１の支持部５１ａと嵌合させ且つ重り体４の上方の被支持部を第二保持体６の支持部６aと嵌合させて、ケーシング２の空洞３の中央域３aに保持されている。また、前記のようにケーシング２の空洞３の中央域３aに保持された重り体４は、ケーシング２の側面方向への過大衝撃発生時は、図３（Ａ）、（Ｂ）に示す場合と略同様に、慣性力により第一保持体５1と第二保持体６との挟圧に抗して、重り体４の下方の被支持部を第一保持体５１の支持部５１ａとの嵌合から離脱させ且つ重り体４の上方の被支持部を第二保持体６の支持部６aとの嵌合から離脱させて、空洞３の中央域３aから上下方向に拡張した周辺域３bに変位させられる。
【００３８】
［実施例３］
図５は本発明の実施例３に係る衝撃記録素子の過大衝撃発生前における縦断面図である。
本実施例３では、実施例１及び２における平坦状又はコーン形状の第一保持体５、５１の代わりに第一保持体５２が使用され、その第一保持体５２は、頂部に重り体４の上方の被支持部と球面状に嵌合可能な球面状の支持部５２aを有するコーン形状の透明又は不透明の弾性振動板からなると共に空洞３の下方の開口部に、前記頂部を空洞３に向けて設けられている。前記以外の構成は、実施例１又は２と基本的に同様である。
【００３９】
本実施例３の場合、ケーシング２の空洞３に収容された重り体４は、ケーシング２の側面方向への過大衝撃発生前は、第一保持体５２と第二保持体６とにより両側から弾力的に挟圧されると共に、重り体４の下方の被支持部を第一保持体５２の支持部５２ａと嵌合させ且つ重り体４の上方の被支持部を第二保持体６の支持部６aと嵌合させて、空洞３の中央域３aに保持されている。また、前記のように空洞３の中央域３aに保持された重り体４は、ケーシング２の側面方向への過大衝撃発生時は、図３（Ａ）、（Ｂ）に示す場合と略同様に、慣性力により第一保持体５２と第二保持体６の挟圧に抗して、重り体４の下方の被支持部を第一保持体５２の支持部５２ａとの嵌合から離脱させ且つ重り体４の上方の被支持部を第二保持体６の支持部６aとの嵌合から離脱させて、空洞３の中央域３aから上下方向に拡張した周辺域３bに変位させられる。
【００４０】
［実施例４］
図６は本発明の実施例４に係る衝撃記録素子の過大衝撃発生前における縦断面図である。
本実施例４では、実施例２において球体状の重り体４の代わりに、円柱状の重り体４１が使用され、実施例２において球体状の重り体４の球面状凸部からなる下方の被支持部とコーン形状の第一保持体５１頂部の半球状凹部からなる支持部５１ａとが嵌合される代わりに、円柱状の重り体４１の円錐状凹部からなる下方の被支持部４１ａとコーン形状の第一保持体５３頂部の円錐状凸部からなる支持部５３ａとが嵌合され、さらに実施例２において球体状の重り体４の球面状凸部からなる上方の被支持部とコーン形状の弾性振動板からなる第二保持体６頂部の半球状凹部からなる支持部６aとが嵌合される代わりに、円柱状の重り体４１の円錐状凹部からなる上方の被支持部４１ｂとコーン形状の弾性振動板からなる第二保持体６１頂部の円錐状凸部からなる支持部６１ａとが嵌合されている。なお、前記円錐状凹部と円錐状凸部の円錐面を介する嵌合の代わりに、球面、円筒面、環状面等を介する嵌合を採用してもよい。前記以外の構成は、実施例２と基本的に同様である。
【００４１】
本実施例４の場合、ケーシング２の空洞３に収容された重り体４１は、ケーシング２の側面方向への過大衝撃発生前は、第一保持体５３と第二保持体６１とにより両側から弾力的に挟圧されると共に、重り体４１の下方の被支持部４１ａを第一保持体５３の支持部５３ａと嵌合させ且つ重り体４１の上方の被支持部４１ｂを第二保持体６１の支持部６１aと嵌合させて、空洞３の中央域３aに保持されている。また、前記のように空洞３の中央域３aに保持された重り体４１は、ケーシング２の側面方向への過大衝撃発生時は、図３（Ａ）、（Ｂ）に示す場合と略同様に、慣性力により第一保持体５３と第二保持体６１との挟圧に抗し、重り体４１の下方の被支持部４１ａを第一保持体５３の支持部５３ａとの嵌合から離脱させ且つ重り体４１の上方の被支持部４１ｂを第二保持体６１の支持部６１aとの嵌合から離脱させて、空洞３の中央域３aから上下方向に拡張した周辺域３bに変位させられる。
【００４２】
前記構成の実施例4では、ケーシング２の側面方向への過大衝撃発生時に空洞３の中央域３aから上下方向に拡張した周辺域３bに変位した円柱状の重り体４１は、その一方側及び他方側の各環状稜が第一保持体５３及び第二保持体６１の各傾斜面と対向するため、中央域３aに戻り難い状態にある。
【００４３】
［実施例５］
図７は本発明の実施例５に係る衝撃記録素子の過大衝撃発生前における縦断面図である。
本実施例５では、実施例４において円柱状の重り体４１の円錐状凹部からなる下方の被支持部４１ａがコーン形状の第一保持体５３頂部の円錐状凸部からなる支持部５３ａと嵌合される代わりに、コーン形状の弾性振動板からなる第一保持体５４頂部の円錐状凸部からなる支持部５４ａと嵌合されている。前記以外の構成は、実施例４と基本的に同様である。
【００４４】
本実施例５の場合、ケーシング２の空洞３に収容された重り体４１は、ケーシング２の側面方向への過大衝撃発生前は、第一保持体５４と第二保持体６２とにより両側から弾力的に挟圧されると共に、重り体４１の下方の被支持部４１ａを第一保持体５４の支持部５４ａと嵌合させ且つ重り体４１の上方の被支持部４１ｂを第二保持体６２の支持部６２aと嵌合させて、空洞３の中央域３aに保持されている。また、前記のように空洞３の中央域３aに保持された重り体４１は、ケーシング２の側面方向への過大衝撃発生時は、図３（Ａ）、（Ｂ）に示す場合と略同様に、慣性力により第一保持体５４と第二保持体６２との挟圧に抗し、重り体４１の下方の被支持部４１ａを第一保持体５４の支持部５４ａとの嵌合から離脱させ且つ重り体４１の上方の被支持部４１ｂを第二保持体６２の支持部６２aとの嵌合から離脱させて、空洞３の中央域３aから上下方向に拡張した周辺域３bに変位させられる。
【００４５】
［実施例６］
図８（Ａ）及び（Ｂ）は本発明の実施例６に係る、実施例１〜５に係るものと同タイプの衝撃記録素子の各々過大衝撃発生前及び過大衝撃発生後における横断面図、同図（Ｃ）は本発明の実施例６に係る、実施例１に係るものと同タイプの衝撃記録素子の過大衝撃発生後における縦断面図である。
本実施例６では、実施例１〜５におけるケーシング２の内面からケーシング２の周方向に沿って球体状又は円柱状の重り体４、４１の停留可能な間隔で重り体停留手段としての略三角柱状の仕切り９がケーシング２の空洞３の周辺域３bに所要間隔で突設されている。前記以外の構成は、実施例１〜５と基本的に同様である。
【００４６】
本実施例６の場合、ケーシング２の空洞３の中央域３aに保持された重り体４、４１は、ケーシング２の側面方向への過大衝撃発生時に、既述のように慣性力により該慣性力の方向、従って前記衝撃力の方向と反対の方向に空洞３の中央域３aから周辺域３bに変位させられると共にその変位方向に連なる一対の仕切り９、９でケーシング２の周方向への動きを制限されて、ケーシング２の周方向への遊動不能に前記両仕切り９、９間に対応する角度位置に停留するが、そのように停留された重り体４、４１の角度位置が、即ち前記衝撃力の方向を示唆していることになる。
【００４７】
前記の場合、空洞３の周辺域３bにおける重り体４、４１が停留した角度位置を検知可能にする重り体検知手段、例えばケーシング２、第一保持体５、５１、５２、５３、５４及び第二保持体６、６１、６２の少なくとも一つの部材に光透過部分を設けて、空洞３の少なくとも周辺域３bを視認可能にする手段が好適に選択される。
【００４８】
なお、本実施例６において、仕切り９がケーシング２の内面から突設される代わりに、或いはそれと共に、第一保持体５、５１、５２、５３、５４及び／又は第二保持体６、６１、６２から突設されてもよい。また、図６（Ｃ）では、実施例１に係る衝撃記録素子と同タイプのものに前記仕切り９が設けられた場合の縦断面図が代表的に例示されているが、前記仕切り９が実施例２〜５に係る衝撃記録素子と同タイプのものにも同様に設けられ得ることは言うまでもない。
【００４９】
［実施例７］
図９（Ａ）及び（Ｂ）は本発明の実施例７に係る衝撃記録素子の各々過大衝撃発生前及び過大衝撃発生後における横断面図である。
本実施例７では、実施例１において球体状の重り体４の代わりに、円柱状の重り体４２が使用され、実施例１において球体状の重り体４の球面状凸部からなる下方の被支持部と第一保持体５の平坦状の支持部５ａとが当接される代わりに、円柱状の重り体４２の平坦状の下方の被支持部４２ａと第一保持体５の平坦状の支持部５ａとが当接され、さらに実施例１において球体状の重り体４の球面状凸部からなる上方の被支持部とコーン形状の弾性振動板からなる第二保持体６頂部の半球状凹部からなる支持部６aとが嵌合される代わりに、円柱状の重り体４２の半球状凹部からなる上方の被支持部４２ｂ及びそれと同心で半球状断面を有する環状溝からなる上方の第二被支持部４２ｃと平坦状の弾性振動板からなる第二保持体６３中央の半球状凸部からなる支持部６３ａとが各々嵌合可能とされている。
【００５０】
本実施例７の場合、空洞３に収容された重り体４２は、ケーシング２の側面方向への過大衝撃発生前は、図９（Ａ）に示すように、第一保持体５と第二保持体６３とにより両側から弾力的に挟圧されると共に、重り体４２の下方の被支持部４２ａを第一保持体５の支持部５ａに当接させ且つ第二保持体６３の支持部６３aを重り体４２の上方の被支持部４２ｂと嵌合させて、空洞３の中央域３aに保持されている。また、前記のように空洞３の中央域３aに保持された重り体４２は、ケーシング２の側面方向への過大衝撃発生時は、図９（Ｂ）に示すように、慣性力により第一保持体５と第二保持体６３との挟圧に抗して、重り体４２の下方の被支持部４２ａを第一保持体５の支持部５から摺動させ且つ第二保持体６３の支持部６３aを重り体４２の上方の被支持部４２ｂとの嵌合から離脱させて、空洞３の中央域３aから周辺域３bに変位させられ、第二保持体６３の支持部６３aが重り体４２頂部の環状溝からなる上方の第二被支持部４２ｃと嵌合される。
【００５１】
なお、本実施例７に係る衝撃記録素子にも図８（Ａ）及び（Ｂ）に示すような重り体停留手段を設けることにより、空洞３の周辺域３bに遊動不能に停留された重り体４２の角度位置を検知して過大衝撃が加わった方向を知得することが可能である。
【図面の簡単な説明】
【００５２】
【図１】図１（Ａ）及び（Ｂ）は本発明の実施例１に係る衝撃記録素子の過大衝撃発生前における各々平面図及び縦断面図である。
【図２】図２は図１に示す衝撃記録素子の機器に取り付けた状態における縦断面図である。
【図３】図３（Ａ）及び（Ｂ）は図１に示す衝撃記録素子の過大衝撃発生時における各々平面図及び縦断面図である。
【図４】図４は本発明の実施例２に係る衝撃記録素子の過大衝撃発生前における縦断面図である。
【図５】図５は本発明の実施例３に係る衝撃記録素子の過大衝撃発生前における縦断面図である。
【図６】図６は本発明の実施例４に係る衝撃記録素子の過大衝撃発生前における縦断面図である。
【図７】図７は本発明の実施例５に係る衝撃記録素子の過大衝撃発生前における縦断面図である。
【図８】図８（Ａ）及び（Ｂ）は本発明の実施例６に係る、実施例１〜５に係るものと同タイプの衝撃記録素子の各々過大衝撃発生前及び過大衝撃発生後における横断面図、同図（Ｃ）は本発明の実施例６に係る、実施例１係るものと同タイプの衝撃記録素子の過大衝撃発生後における縦断面図である。
【図９】図９（Ａ）及び（Ｂ）は本発明の実施例７に係る衝撃記録素子の各々過大衝撃発生前及び過大衝撃発生後における横断面図である。
【符号の説明】
【００５３】
１  衝撃記録素子
２  ケーシング
３  ケーシングの空洞
３a  空洞の中央域
３b  空洞の周辺域
４、４１、４２  重り体
５、５１、５２、５３、５４  第一保持体
６、６１、６２  第二保持体
８  観察用穴
【図１】
2006053037.tif 000003
【図２】
2006053037.tif 000004
【図３】
2006053037.tif 000005
【図４】
2006053037.tif 000006
【図５】
2006053037.tif 000007
【図６】
2006053037.tif 000008
【図７】
2006053037.tif 000009
【図８】
2006053037.tif 000010
【図９】
2006053037.tif 000011